(57)【要約】【課題】パイプなどの柱状体が狭溢個所に設置されている場合であっても、剥離紙付きテープを剥離紙を剥がしながら簡便に巻き付けることができるテープ貼付け方法及びこれに用いるテープ貼付け冶具並びにテープに関する。【解決手段】この発明は、挟圧された上下一対のプレート部の間に挿入された剥離紙付きテープの先端を前記一対のプレート部の前端から突出させ、該突出した先端部分の剥離紙を剥がしてテープの粘着面を被貼付面に貼り付け、前記剥がされた剥離紙を貼付け方向に引っ張ってテープの粘着面を被貼付面の所定位置に貼り付けることを特徴とする。テープは例えば防食テープの粘着面に剥離紙を貼着したものである。【選択図】図１
2015145289.tif 000002
【特許請求の範囲】
【請求項１】
剥離紙付きテープの表面部と裏面部を挟み込む上下一対のプレート部と、該一対のプレート部により剥離紙付き防食テープを挟圧する手段とを備えたテープ貼付け冶具を用いたテープ貼付け方法において、
挟圧された上下一対のプレート部の間に挿入された剥離紙付きテープの先端を前記一対のプレート部の前端から突出させ、該突出した先端部分の剥離紙を剥がしてテープの粘着面を被貼付面に貼り付け、前記剥がされた剥離紙を貼付け方向に引っ張ってテープの粘着面を被貼付面の所定位置に貼り付けることを特徴とするテープ貼付け方法。
【請求項２】
被貼付面が柱状体の外周面からなっており、剥離紙を剥がしたテープを前記外周面に沿って螺旋状に貼り付けてなることを特徴とする請求項１に記載のテープ貼付け方法。
【請求項３】
剥離紙付きテープの表面部と裏面部を挟み込む上下一対のプレート部と、該一対のプレート部により剥離紙付き防食テープを挟圧する手段とを備えたテープ貼付け冶具を用いたテープ貼付け冶具において、
挟圧された上下一対のプレート部の間に挿入された剥離紙付きテープの先端を前記一対のプレート部の前端から突出させ、該突出した先端部分の剥離紙を剥がしてテープの粘着面を被貼付面に貼り付け、前記剥がされた剥離紙を貼付け方向に引っ張ってテープの粘着面を被貼付面の所定位置に貼り付けてなることを特徴とするテープ貼付け冶具。
【請求項４】
一対のプレートが、前後両端が開放されて剥離紙付きテープを挿入可能な空間を有する扁平な袋またはケースからなっていることを特徴とする請求項３に記載のテープ貼付け冶具。
【請求項５】
挟圧する手段が、一対のプレートを挟んで挟圧する上下の片を有するヘアピンまたはクリップ状の挟圧具からなっていることを特徴とする請求項３または４に記載のテープ貼付け冶具。
【請求項６】
挟圧する手段が、一対のプレートを着脱可能に拘束して、挿入された剥離紙付きテープをプレートの内面で挟圧する一対の掛止構成部からなっていることを特徴とする請求項３または４に記載のテープ貼付け冶具。
【請求項７】
剥離紙付きテープが、剥離紙付き防食テープからなっていることを特徴とする請求項１または２に記載のテープ貼付け方法に用いるテープ。
【請求項８】
剥離紙付きテープが、剥離紙付き防食テープからなっていることを特徴とする請求項３から６のいずれかに記載のテープ貼付け治具に用いるテープ。
【発明の詳細な説明】
【技術分野】
【０００１】
本発明は、平坦面だけでなくパイプなどの柱状体が狭溢個所に設置されている場合であっても、剥離紙付きテープを剥離紙を剥がしながら簡便に巻き付けることができるテープ貼付け方法及びこれに用いるテープ貼付け冶具並びにテープに関する。
【背景技術】
【０００２】
従来、特開２００１−４８４１３号のテープ貼着具として、粘着テープの先端側を挿通させる粘着テープガイド部をテープ貼着具本体に設け、剥離テープの先端側を粘着テープガイド部に入り込まないように受け止め阻止する剥離テープ受け止め部を設け、被貼着面に当て付ける第１当てつけ部を設けるとともに、被貼着面にその長手方向で沿う貼着対象物面に被貼着面の幅方向外方側から当てつける第２当てつけ部を設け、粘着テープガイド部に挿通させた粘着テープの先端部を、被貼着面の長手方向一端部に予め貼着させてから、第１当てつけ部と第２当てつけ部とを被貼着面と貼着対象物面に各別に案内させながら、テープ貼着具本体を被貼着面の他端側に位置変更させて、粘着テープを被貼着面に貼着可能とする構造が開示されてる。
しかし、上記構成では、予め先端だけが剥がされた剥離テープの先端を、剥離テープ受け止め部で更に続けて粘着テープから引き剥がされ、第１当てつけ部および第２当てつけ部によって粘着テープを被貼着面に貼着するもので、テープ貼着具は構成が複雑となると共に嵩張り、狭溢場所で使用しづらいという問題点がある。
また、特に、防食テープは、従来、粘着面に剥離紙を貼着していなかったので、立設されたパイプ等の筒状体に巻き付けるに際しては、ロール状に巻かれた防食テープを筒状体の外周に沿って螺旋状に巻き付ける必要があったが、筒状体が狭溢な場所に設置されている場合には、巻き付けることが手間のかかる作業となっていた。
【先行技術文献】
【特許文献】
【０００３】
【特許文献１】特開２００１−４８４１３号公報
【発明の概要】
【発明が解決しようとする課題】
【０００４】
この発明は上記事情に鑑みて創案されたものであって、その主たる課題は、平坦面だけでなくパイプなどの柱状体が狭溢個所に設置されている場合であっても、プレート状の簡単な構成からなっておりので、剥離紙付き防食テープの剥離紙を剥がして巻き付けることができるテープ貼付け方法及びこれに用いるテープ貼付け冶具並びにテープを提供することにある。
【課題を解決するための手段】
【０００５】
この発明は、上記課題を達成するために、請求項１の発明では、
剥離紙付きテープの表面部と裏面部を挟み込む上下一対のプレート部と、該一対のプレート部により剥離紙付き防食テープを挟圧する手段とを備えたテープ貼付け冶具を用いたテープ貼付け方法において、
挟圧された上下一対のプレート部の間に挿入された剥離紙付きテープの先端を前記一対のプレート部の前端から突出させ、該突出した先端部分の剥離紙を剥がしてテープの粘着面を被貼付面に貼り付け、前記剥がされた剥離紙を貼付け方向に引っ張ってテープの粘着面を被貼付面の所定位置に貼り付けることを特徴とする。
請求項２の発明では、
被貼付面が柱状体の外周面からなっており、剥離紙を剥がしたテープを前記外周面に沿って螺旋状に貼り付けてなることを特徴とする。
請求項３の発明では、
剥離紙付きテープの表面部と裏面部を挟み込む上下一対のプレート部と、該一対のプレート部により剥離紙付き防食テープを挟圧する手段とを備えたテープ貼付け冶具を用いたテープ貼付け冶具において、
挟圧された上下一対のプレート部の間に挿入された剥離紙付きテープの先端を前記一対のプレート部の前端から突出させ、該突出した先端部分の剥離紙を剥がしてテープの粘着面を被貼付面に貼り付け、前記剥がされた剥離紙を貼付け方向に引っ張ってテープの粘着面を被貼付面の所定位置に貼り付けてなることを特徴とする。
請求項４の発明では、
一対のプレートが、前後両端が開放されて剥離紙付きテープを挿入可能な空間を有する扁平な袋またはケースからなっていることを特徴とする。
請求項５の発明では、
挟圧する手段が、一対のプレートを挟んで挟圧する上下の片を有するヘアピンまたはクリップ状の挟圧具からなっていることを特徴とする。
請求項６の発明では、
挟圧する手段が、一対のプレートを着脱可能に拘束して、挿入された剥離紙付きテープをプレートの内面で挟圧する一対の掛止構成部からなっていることを特徴とする。
また、前記剥離紙付きテープは、例えば、剥離紙付き防食テープからなっていることを特徴とする。
【発明の効果】
【０００６】
本発明のテープ貼付け冶具は、厚みの薄いプレート形状であるので、テープ貼付け冶具を通過させることができるスペースがあればよく、被貼付面の周囲が狭溢なスペースしかなくてもテープを巻き付けることができる。
また、テープを上下で挟む一対のプレートと挟圧手段とからなるので、構成が簡単で嵩張らず廉価であり、また、貼り付け操作も簡単で誰でも使用することができる。
また、防食テープの粘着面に剥離紙を貼り付けることで、貼付け冶具を用いて防食テープを筒状体に簡単に巻き付けることが実現できた。
【図面の簡単な説明】
【０００７】
【図１】テープ貼付け冶具の分解斜視図である。
【図２】テープ貼付け冶具に剥離紙付きテープを装着した使用状態を示す斜視図である。
【図３】パイプにテープを巻き付けた状態の断面図である。
【図４】同斜視図である。
【図５】テープ貼付け冶具の異なる実施例を示す断面図である。
【発明を実施するための形態】
【０００８】
以下に、剥離紙付きテープ１に用いるテープ貼付け冶具１０の好適実施例について図面を参照しながら説明する。
【実施例１】
【０００９】
剥離紙付きテープ１として、本実施例では、粘着面を有するテープ（粘着テープ）としての防食テープ２と、前記粘着面に着脱可能な剥離紙３を貼り合わせたテープを用いている（図２、図５参照）。
上記剥離紙付きテープ１をテープ貼付け冶具１０にセットするには、前記テープ１がロール状に巻かれている場合には直線状に引き出し、巻き取られていない場合にはそのまま使用する。
テープ貼付け冶具１０は、図１及び図２に示すように、前記剥離紙付きテープ１の表面部（テープ２の表面）１ａと裏面部（剥離紙３の裏面）１ｂを挟み込んで剥離紙付きテープ１をその延出方向に沿って摺動させる上下一対のプレート部１１、１２と、該一対のプレート部１１、１２により剥離紙付きテープ１を挟圧する挟圧手段１８とを備えている。
【００１０】
本実施例では、上下一対のプレート部１１、１２は、弾性を有するプラスチックプレートからなっているが、平坦なプレート状であればよく、素材は、硬質の紙、合成樹脂、金属のいずれであってもよいし、別々の素材を上下に組み合わせてもよく、少なくとも内面側が剥離紙付きテープ１の両面１ａ、１ｂと引っかかることなく、延出方向に摺動しうる素材及び内面形状であればよい。
また、各プレート１１、１２は複数積層して形成されたプレートであってもよい。例えば、内面側は低摩擦の素材とし、外面側は剛性の高い素材とする等である。
【００１１】
上下一対のプレート部１１、１２は、前記剥離紙付きテープ１を上下に挟んで前記テープ１の延出向に摺動しうる隙間１４を有している。
また、上下一対のプレート部１１、１２は、テープ２およびまたは剥離紙３を引き出す側のプレート部１１または１２の端部は、引き出しやすいように湾曲面としてもよい（図３参照）。
【００１２】
上記一対のプレート部１１、１２は、別体でもよいし、一対のプレート部１１、１２の前後の開放端を除いて、一方又は双方の側辺が連結または固着されているものでもよい。
一方の側辺が連結される場合は、例えば後述の実施例２のようにヒンジを介して折畳乃至展開可能に連結されているものでもよい。
図示例では、一方のプレート部１１の両端を折り返して一対の折返片１１ａ、とし、他方のプレート部１２の縁部１２ａをその折返片１１ａに接着しており、剥離紙付きテープ１の延出方向でもある摺動方向の前後両端１３ａ、１３ｂが開口した扁平な袋状に形成されている。
【００１３】
挟圧手段は、前記一対のプレート１１，１２に挟まれた剥離紙付きテープ１を牽引する際に前記剥離紙付きテープ１に緊張を与えるもので、本実施例では、ヘアピンやクリップのような約１８０度に折り返されたバネ性を有する挟圧具１８からなっており、剥離紙付きテープ１の横幅のほぼ全面を均等に挟圧するために剥離紙付きテープ１の横幅に対応した長さに設定されていることが好ましいが、この発明では、剥離紙付きテープ１の横幅の一部を挟圧するものでもよい。
【００１４】
上記構成からなっているので、テープ貼付け冶具１０の前端１３ａから引き出された剥離紙付きテープ１の先端の剥離紙３を剥がし、テープ２の粘着面を露出させ、該粘着面を被取付体５に貼り付ける。
被取付体５がパイプなどの柱状体の場合、図３および図４に示すように、前記テープ２の粘着面をパイプの外周面（被取付体５）に貼り付け、テープ２の先端を接着する。
【００１５】
次いで、前記引きはがした剥離紙３’を貼り付け方向に引っ張ることで作業入力が発生し、これに連動してテープ貼付け冶具１０が移動し、テープ貼付け冶具１０に挟み込まれている剥離紙付きテープ１には挟圧具１８による抵抗力Ｒが発生しているので、前記作業入力Ｆ１とテープの抵抗力Ｒとを相殺した力がテープ２に作用して、パイプの外周面５に巻き付けるための張力Ｆ２となる。
従って、引きはがした剥離紙３’を、被取付体５に対するテープ２の巻付け方向に沿って引っ張ることで、粘着面が露出したテープ２がパイプの外周面である被取付体５に沿って螺旋状に貼り付けられ、きれいに巻き付けることができる。
【００１６】
上記説明は、被貼付面５が曲面状の柱状体の外周面からなる場合であるが、被貼付面５が平坦面の場合であっても、同様に引き剥がした剥離紙３’を貼り付け方向に引っ張ることで、緊張したテープ２を被貼付面に貼り付けることができる。
また、挟圧具１８は、図示例に限らず、例えばゴムバンドを一対のプレート部１１，１２に外嵌して挟圧する構成や、ひもやベルトで一対のプレート部１１、１２を締め付けて拘束するなどであってもよい。
【実施例２】
【００１７】
前記実施例１では、一対のプレート部１１、１２が扁平な袋状やケース状に形成されている場合を示したが、本実施例では、図５のように、テープの延出方向に沿ったプレート部の一方の辺がヒンジ１５により連結され、対向する他方の辺は開放されており、該開放された縁部に一対の係脱可能な掛止構成部が挟圧する手段として設けられている。
即ち、挟圧する手段は、一対のプレート部１１、１２を上下から挟圧するものに限らず、一対のプレート１１、１２の隙間１４の間隔を前記剥離紙付き付きテープに所定の抵抗力を与える間隔に拘束して、プレート１１、１２の内壁面によって、剥離紙付きテープ１を挟圧する拘束具１８’であってもよい。
【００１８】
本実施例では、一方のプレート部１１の開放端縁部に凹部または雌部を設けた一方の掛止構成部１８ａを設け、他方のプレート部１２の開放端縁部には前記凹部と係合する突部や前記雌部と係合する雄部からなる他方の掛止構成部１８ｂを設けている。
【００１９】
これにより、一対のプレート部１１、１２をヒンジ１５を介して展開した状態で剥離紙付きテープ１を一方のプレート部上にセットし、ヒンジ１５を介して他方のプレート部を閉じて、一対のプレート部１１，１２を重ね合わせた位置で前記一対の掛止構成部１８ａ、１８ｂで一対のプレート部１１、１２を閉位置で隙間１４を所定の間隔に拘束することで、隙間１４に挟まれた剥離紙付きテープ１をプレート１１、１２の内壁面で挟圧するようになっている。
上記隙間を設定するために、図示しないが、一方または両方のプレート部の内面に剥離紙付きテープ１を摺動可能に押圧するため内方に隆起する押圧面を設けてもよい。
【００２０】
本実施例では、剥離紙付きテープ１は、一対のプレート１１、１２の内壁面により上下から挟圧されるので、前記実施例と同様に、先端の引きはがした剥離紙３’を引っ張ることで、図３と同様に、作業入力Ｆ１が発生し、一方、プレート部１１，１２間に挟み込まれている剥離紙付きテープ１にはプレート部の内面による挟圧力に対する抵抗力Ｒが発生し、前記作業入力Ｆ１と剥離紙付きテープの抵抗力Ｒとを相殺した力がテープ２に作用して、被取付体に貼り付けるための張力Ｆ２となる。
従って、剥離紙３’を、テープ２の貼り付け方向に沿って引っ張ることで、粘着面が露出したテープ２が被取付体に沿って貼り付けられる。
【００２１】
上記実施例では、テープに防食テープを用いた例を示したが、この発明ではテープの種類は粘着面を有するものであればよく、その粘着面に剥離紙を貼付した剥離紙付きテープであれば、テープの機能や用途は限定されない。
また、前記実施例では、テープの片面に粘着面が設けられて剥離紙が貼着された場合を示したが、テープは両面に粘着面を有しそれぞれに剥離紙が貼着されたテープであってもよい。その場合、テープ貼付け治具には、被取付体に貼り付ける面の剥離紙だけを剥がし、反対側の面の剥離紙はそのまま残した状態で使用すればよい。
また、前記テープや剥離紙の基材は公知の素材が用いられていればよく、剥離紙は紙に限らず樹脂製フィルムなどであってもよい。
その他、要するにこの発明の要旨を変更しない範囲で種々設計変更しうること勿論である。
【符号の説明】
【００２２】
１    剥離紙付きテープ
１ａ  表面部
１ｂ  裏面部
２    テープ
３、３’剥離紙
５    被取付体
１０    テープ貼付け冶具
１１    一方のプレート部
１２    他方のプレート部
１３ａ、１３ｂ  前後両端
１４    隙間
１５    ヒンジ
１８    挟圧具
１８’  拘束具
１８ａ  一方の掛止構成部
１８ｂ  他方の掛止構成部
【図１】
2015145289.tif 000003
【図２】
2015145289.tif 000004
【図３】
2015145289.tif 000005
【図４】
2015145289.tif 000006
【図５】
2015145289.tif 000007